(57)【要約】【課題】本発明は、閉じられている状態で、電話をかける操作及び電話を受ける操作を可能として、使い勝手を良くすることを課題とする。【解決手段】第１の半体部１１には、送話キー２０−１，ページキー２０−２，終話キー２０−３が並んでいる。第２の半体部１２には、送話キー３２−１，ページキー３２−２，終話キー３２−３が、第２の半体部１２を厚さ方向に貫通して第２の半体部１２の裏面に突き出て設けてある。第２の半体部１２が第１の半体部１１上に重なった状態で、送話キー３２−１，ページキー３２−２，終話キー３２−３が夫々送話キー２０−１，ページキー２０−２，終話キー２０−３に対向する。【選択図】図１
2007089221.tif 000002
【特許請求の範囲】
【請求項１】
少なくとも第一の操作部と表示パネルとをその一面に有する第１の半体部と、
少なくとも第二の操作部を有する第２の半体部と、
該第１の半体部と該第２の半体部とを相対的に回動可能に接続するヒンジ部と、を有するとともに、
前記第二の操作部は、前記第一の操作部を構成するキーの少なくとも一部に対向する位置に、前記第一の半体部と前記第二の半体部とが閉じられた状態で前記キーを押圧可能に設けられたことを特徴とする、携帯型電子装置。
【請求項２】
請求項１に記載の携帯型電子装置において、
前記第一の半体部は、携帯電話の機能をなす回路モジュールを有するとともに、
前記第二の半体部は、電子手帳として機能し、前記第二の操作部が電子手帳の機能を利用するために必要な情報を入力する機能を備えるとともに、
前記電子手帳の情報管理機能は、前記回路モジュールに備えられていることを特徴とする、携帯型電子装置。
【発明の詳細な説明】
【技術分野】
【０００１】
本発明は携帯型電子装置に係り、特に電子手帳（電子式情報管理処理装置）の機能を備え、しかも、小型である構成の携帯型電子装置に関する。
【０００２】
携帯電話機は、その取扱上、サイズが小さいことが必要である。また、携帯電話機が電子手帳の機能を備えていれば、携帯電話機の他に電子手帳を携帯する必要がなく便利であり、また、機能が拡大して、例えば、電子手帳で処理した情報を送ることも可能となり便利である。この場合に、携帯電話機の大きさを、携帯電話機の大きさに電子手帳の大きさを加えた大きさとした場合には、携帯電話機が大きくなりすぎて、携帯に不便となる。そこで、携帯電話機においては、電子手帳の機能を備えたものを、サイズをさほど大きくせずに実現することが望まれている。
【背景技術】
【０００３】
従来の携帯電話機で、電子手帳の機能を備えたものは、携帯電話機と電子手帳とを平面的に並べて一体としたものである。
【発明の開示】
【発明が解決しようとする課題】
【０００４】
このため、携帯電話機は、平面上のサイズが大きくなって、携帯に不便となっていた。
【０００５】
そこで、本発明は、上記課題を解決した携帯型電子装置を提供することを目的とする。
【課題を解決するための手段】
【０００６】
この目的を達成するために、本発明は、
少なくとも第一の操作部と表示パネルとをその一面に有する第１の半体部と、
少なくとも第二の操作部を有する第２の半体部と、
該第１の半体部と該第２の半体部とを相対的に回動可能に接続するヒンジ部と、を有するとともに、
前記第二の操作部は、前記第一の操作部を構成するキーの少なくとも一部に対向する位置に、前記第一の半体部と前記第二の半体部とが閉じられた状態で前記キーを押圧可能に設けられたことを特徴とする。
【発明の効果】
【０００７】
第２の半体部が閉じられた状態で、第二の操作部を押すことによって、その下側に位置する第１の半体部の第一の操作部を押すことが可能となり、操作性の向上を図ることが出来る。
【発明を実施するための最良の形態】
【０００８】
本発明の好適な実施の形態について、図を参照して、以下説明する。
【実施例１】
【０００９】
図１乃至図７に示すように、携帯型電子装置の一種である携帯電話機１０は、必要に応じて図１及び図２（Ｃ）に示すように開かれる手帳型であり、電話機の機能を備えている第１の半体部１１と、電子手帳（電子式情報管理処理装置）の機能を備えている第２の半体部１２と、第１の半体部１１と第２の半体部１２とをつないでいるヒンジ部１３と、ホイップアンテナ１４とを有する。第１の半体部１１の平面的サイズと第２の半体部１２の平面的サイズとは同じである。ヒンジ部１３は第１の半体部１１の横側に位置しており、第２の半体部１２を第１の半体部１１に対して回動可能に支持している。ホイップアンテナ１４は、ヒンジ部１３の内部に設けてある。「上側、又は上端側」とは、ホイップアンテナ１４が引き出されるＹ１方向側（スピーカ側）をいい、「下側、又は下端側」とは、マイク側であるＹ２方向側をいう。
【００１０】
第１の半体部１１は、携帯電話機１０を上（Ｚ１方向の側）から見たときの表面１１ａ側（閉じている状態で第２の半体部１２によって覆われている面）に、電話機用操作部としての電話機用ファンクションキー２０と、表示パネルとしての液晶パネル部２１と、可動式のマイクユニット２２とを有し、裏面１１ｂ側に凹んでバッテリー装着部２３を有し、側面に、第２の半体部リリースボタン２４と、マイクユニットリリースボタン２５とを有し、内部には、回路モジュール２６が組み込まれている（図５（Ｆ）参照）構造であり、電話機の機能を備えており、厚さはｔ１である。電話機用ファンクションキー２０は、液晶パネル部２１に近い側の列に、電話を受けたりかけたりする場合に操作する基本的はキーである、送話キー２０−１，ページキー２０−２，終話キー２０−３が並んでいる。図６（Ａ）に示すように、バッテリー装着部２３には、バッテリー２７が装着してある。
【００１１】
第２の半体部１２は、携帯電話機１０を上から見たときの表面１２ａ側に、上側（ホイップアンテナ１４が引き出される側）から順に、スピーカ部３０、透明アクリル窓３１、送話キー３２−１，ページキー３２−２，終話キー３２−３を有し、電子手帳の機能を備えている。情報を管理処理する部分は、上記の回路モジュール２６内に設けてあり、この第２の半体部１２は、回路モジュールは内蔵していず、よって、厚さｔ２は第１の半体部１１の厚さｔ１より薄くなっており、第１の半体部１１を覆う蓋のような感触を有する。透明アクリル窓３１は、第２の半体部１２が第１の半体部１１上に重なった状態で、液晶パネル部２１のうち電話機用ファンクションキー２０寄りの部分に対応する部位に設けてある。送話キー３２−１，ページキー３２−２，終話キー３２−３は、第２の半体部１２を厚さ方向に貫通して第２の半体部１２の裏面に突き出て設けてあり、第２の半体部１２が第１の半体部１１上に重なった状態で、送話キー２０−１，ページキー２０−２，終話キー２０−３に対応する部位に設けてある。即ち、送話キー３２−１，ページキー３２−２，終話キー３２−３は、第２の半体部の厚さ方向に貫いており、押し付け操作すると、その下側の送話キー２０−１，ページキー２０−２，終話キー２０−３を押す間接操作キーである。
【００１２】
第２の半体部１２の裏面１２ｂ側（第２の半体部１２が第１の半体部１１上に重なった状態で第１の半体部１１の表面１１ａに対向する面）には、第１の電子手帳（電子式情報管理処理装置）用ファンクションタッチパネル（操作部）３３と、透明アクリル窓３１の裏面と、キー３２−１，３２−２，３２−３の裏面の凸部３２−１ａ，３２−２ａ，３２−３ａと、第２の電子手帳用ファンクションタッチパネル（操作部）３４とが設けてある。第１の電子手帳用ファンクションタッチパネル３３は、スピーカ部３０の裏側に位置しており、第２の半体部１２が第１の半体部１１上に重なった状態で、液晶パネル部２１のうち上寄りの部分に対向する。第２の電子手帳用ファンクションタッチパネル３４は、第２の半体部１２が第１の半体部１１上に重なった状態で、電話機用ファンクションキー群２０に対向する部分に設けてある。
【００１３】
ヒンジ部１３の構造については後述する。ヒンジ部１３は、ばね力でもって第２の半体部１２を第１の半体部１１に対してＡ１方向に約１４５度の位置まで開かせる機能と、力を加えることによって更に１８０度まで開くことが可能である機能と、１４５度から１８０度の間ではどの角度位置でも仮固定させる機能とを有する。
【００１４】
ここで、携帯電話機１０が１８０度までは開かないで約１４５度に留まるようにしてあるのは、携帯電話機１０が手のひらの上で一気に１８０度まで開くと手による保持がしにくくなって不安定となり、携帯電話機１０を誤って落としてしまう虞れがあるのに対して、開く角度が約１４５度に留まると、手による保持が安定となり、携帯電話機１０を誤って落としてしまう危険が少なくなるとともに、違和感なく保持することが可能であり、また、特に電話機用ファンクションキー２０の操作に支障がないからである。力を加えることによって更に１８０度まで開くようになっているのは、１４５度の位置に開いた状態でテーブル上に置かれている携帯電話機１０に押し付ける力が加わった場合に、１８０度まで開くことによって、ヒンジ部１３が破損しないようにするためである。１４５度から１８０度の間ではどの角度位置でもロックされるようになっているのは、電子手帳として使用する場合に、使い勝手が良い位置に固定できるようにするためである。
【００１５】
また、ヒンジ部１３の下側部には、ジャック９０又は操作ペン収容部９１（図１２参照）が設けてある。設けてあるのがジャック９０である場合には、携帯電話機１０を使用する場合に、必要に応じて電源用プラグ９２が差し込まれる。設けてあるのが操作ペン収容部９１である場合には、第１、２の電子手帳用ファンクションタッチパネル３３、３４を軽く押す操作ペン９３が差し込まれて収容されている。
【００１６】
次に、携帯電話機１０の取扱い時における状態を説明する。
［１］携帯時
携帯時は、図２（Ａ）、図３（Ａ）に示すように、第２の半体部１２は、第１の半体部１１を覆って第１の半体部１１上に重なっており（これを閉じられている状態という）、携帯電話機１０は、平面的には、第１の半体部１１と同じ大きさであり、長さＬ，幅Ｗであり、携帯し易い。ホイップアンテナ１４がヒンジ部１３の中心の空間を利用して設けてあるため、ホイップアンテナ１４を設けるための特別のスペースが用意されていない。この点からも、携帯電話機１０は平面的大きさが小さく、よって、携帯し易い。なお、第１の半体部１１及び第２の半体部１２の厚さは共に薄く、特に第２の半体部１２は薄く、重なっていても、嵩張らず、携帯しにくくはない。
［２］電話を受ける場合
携帯電話機１０は、閉じられている状態のままとされる。透明アクリル窓３１を通して液晶パネル部２１に表示された内容を確認することが可能であり、キー３２−１，３２−２，３２−３を押すことによってキー２０−１，２０−２，２０−３を押すことが可能であるからである。
【００１７】
話すときには、マイクユニットリリースボタン２５を押して、マイクユニット２２をばねの力で回動させて、マイクユニット２２が携帯電話機１０から下側に突き出た状態とし、更にマイクユニット２２の先端側を曲げた状態とすると共に、必要に応じてホイップアンテナ１４を引き出す。通話完了後には、マイクユニット２２の先端側を平らに戻し、マイクユニット２２を回動させて携帯電話機１０内に戻し、ホイップアンテナ１４を押し込み、元の状態とする。
［３］電話をかける場合
（３−１）電話機用ファンクションキー２０を使用しないとき。
【００１８】
携帯電話機１０は、閉じられている状態のままとされる。マイクユニットリリースボタン２５を押して、マイクユニット２２をばねの力で回動させて、マイクユニット２２が携帯電話機１０から下側に突き出た状態とすると共に、必要に応じてホイップアンテナ１４を引き上げ、キー３２−１，３２−２，３２−３を適宜押す。
（３−２）電話機用ファンクションキー２０を使用するとき。
【００１９】
先ず、リリースボタン２４を操作する。これによって、ロックが解除され、第２の半体部１２が第１の半体部１１に対して約１４５度回動されて、図１、図２（Ｃ），図３（Ｂ）に示す開いた状態となる。この状態で、電話機用ファンクションキー２０を操作して、相手の電話番号を入力する。
【００２０】
次いで、第２の半体部１２を閉じる方向に回動させて、携帯電話機１０を閉じた状態とする。その後に、マイクユニットリリースボタン２５を押して、マイクユニット２２をばねの力で回動させて、マイクユニット２２が携帯電話機１０から下側に突き出た状態とすると共に、必要に応じてホイップアンテナ１４を引き出す。
［４］電子手帳として使用するとき
先ず、リリースボタン２４を操作し、第２の半体部１２が第１の半体部１１に対して約１４５度回動されて、図１、図２（Ｃ），図３（Ｂ）に示す開いた状態とする。必要に応じて、手で力を加えて、第２の半体部１２を最大１８０度の位置まで開き、使い易い状態とする。第２の半体部１２は、後述するように摩擦力によってその位置に仮固定される。
【００２１】
操作ペン９３を抜いて取外し、操作ペン９３を使用して、第１、第２の電子手帳用ファンクションタッチパネル３３、３４を適宜操作する。この操作によって、データの入力、加工処理が行われ、処理した結果が液晶パネル部２１に表示される。使用後には、第２の半体部１２を閉じる方向に回動させて、携帯電話機１０を閉じられた状態とする。
［５］電子手帳で情報を処理し、処理した情報を送信するとき
先ず、上記と同じく、リリースボタン２４を操作し、携帯電話機１０を開いた状態とし、操作ペン９３を使用して、第１、第２の電子手帳用ファンクションタッチパネル３３、３４を適宜操作する。次いで、電話機用ファンクションキー２０を操作して、相手の電話番号を入力する。この操作によって、処理した結果が相手方に送信される。
【００２２】
使用後には、第２の半体部１２を閉じる方向に回動させて、携帯電話機１０を閉じられた状態とする。次に、携帯電話機１０の各部の構成について説明する。
［１］リリースボタン２４及びこれと関係する部分の構成
図８（Ａ），（Ｂ），（Ｃ）に示すように、リリースボタン２４に関連して線ばね４０が設けてある。第２の半体部１２の引っかけ開口４１が、リリースボタン２４と一体のフック部２４ａに掛止されて、携帯電話機１０は閉じた状態に保たれている。
【００２３】
リリースボタン２４を押すと、フック部２４ａが引っかけ開口４１から外れて、ロックが解除される。
［２］マイクユニット２２及びこれと関係する部分の構成
図９（Ａ），（Ｂ）に示すように、マイクユニット２２は、アーム２２ａの根元側がピン５０によって回動可能に支持されており、アーム２２ａの先端側にマイク２２ｂが内蔵されており、アーム２２ａの途中の箇所にアーム２２ａを折れ曲がらせる関節部分２２ａ１を有し、ばね５１によってＢ１方向に付勢されている。通常は、マイクユニット２２は、先端をマイクユニットリリースボタン２５と一体のフック部２５ａによってロックされており、第１の半体部１１の下側の凹部１１ｄ内に収まっている。
【００２４】
マイクユニットリリースボタン２５を押す操作をすると、ロックが解除され、マイクユニット２２はばね５１の力によってＡ１方向に回動され、図２（Ｂ）に示すように携帯電話機１０より下方に突出し、スピーカ部３０とマイク２２ｂとの間の距離が、延長されて、人の顔の耳と口との間の距離に合うようにされる。スピーカ部３０とマイク２２ｂとの間の距離が延長される構成であるため、この延長される距離の分、携帯電話機１０は長さＬが短くなっている。
【００２５】
また、アーム２２ａは途中の箇所に関節部２２ａ１を有する。アーム２２ａの先端側部分２２ａ２を、関節部２２ａ１で図２（Ｂ）に二点鎖線で示すようにＺ１方向に折り曲げることによって、マイク２２ｂが人の口元に近づくようになる。
［３］ホイップアンテナ１４を傾斜させる機構
図１０（Ａ）乃至（Ｃ）に示すように、ヒンジ部１３の上端部には、ホイップアンテナ支持部材６０が設けてある。図１１を併せ参照するように、このホイップアンテナ支持部材６０は、略筒形状であり、下端に、Ｙ２方向に凸の円弧状であり、断面が逆Ｖ字状である円弧状Ｖ溝６０ａを有する。ヒンジ部１３を構成する筒部７１は、その上端に、Ｙ２方向に凹の円弧状であり、断面が逆Ｖ字状である円弧状Ｖレール部６１を有する。ホイップアンテナ支持部材６０は、円弧状Ｖ溝６０ａが円弧状Ｖレール部６１に嵌合してずれないようにされた状態で、軸６２によって第１の半体部１１に対して回動可能に支持されている。上記の円弧状Ｖ溝６０ａの円弧の中心及び円弧状Ｖレール部６１の円弧の中心は、上記の軸６１と一致している。ホイップアンテナ支持部材６０は、図１０（Ｂ）中時計方向に回動させることによって約１０度回動して、図１０（Ｄ）に示すように凸部６０ｂが第１の半体部１１の凹部１１ｅとクリック的に嵌合してロックされるようになっている。ホイップアンテナ１４の頭部１４ａに続くアンテナシャフト部１４ｂのうち、頭部１４ａの直ぐ下の部分１４ｂ−１（パイプ７６からは抜けている）がホイップアンテナ支持部材６０内を通っている。パイプ７６は、ホイップアンテナ支持部材６０内に入っていない。
【００２６】
通常は、直線状のアンテナシャフト部１４ｂに倣って、ホイップアンテナ支持部材６０は、図１０（Ａ）乃至（Ｃ）に示す位置に位置している。ホイップアンテナ１４の頭部１４ａをＺ２方向に倒す力を加えると、アンテナシャフト部１４ｂが撓んで、ホイップアンテナ支持部材６０が時計方向に回動され、図１０（Ｄ），（Ｅ）に示すように、凸部６０ｂが第１の半体部１１の凹部１１ｅとクリック的に嵌合してロックされた状態となり、ホイップアンテナ１４の頭部１４ａがＺ１方向に約１０度傾斜した状態となってこの状態に保たれる。
【００２７】
これによって、ホイップアンテナ１４の頭部１４ａを、電話をかける人の頭部から離すことが可能となる。ホイップアンテナ１４の頭部１４ａにＺ１方向の力を加えると、上記のロックが解除されて、ホイップアンテナ支持部材６０はアンテナシャフト部１４ｂの直線状に復元しようとする力によって回動されて元の位置に戻され、図１０（Ａ）乃至（Ｃ）に示す状態となる。
【００２８】
また、後述するように、ホイップアンテナ１４を引き出した状態で、ホイップアンテナ１４全体が傾斜するようにも出来る。
［４］ヒンジ部１３の構造
図４及び図１１に示すように、ヒンジ部１３は、大略、第１の半体部１１と一体である、そのＹ１方向端側のＹ１端側筒部７１、中央の中央筒部７２、及びＹ２方向端側のＹ２端側筒部７３と、第２の半体部１２と一体である、中央よりＹ１方向寄りのＹ１方向寄り筒部７４、及び中央よりＹ２方向寄りのＹ２方向寄り筒部７５とが、交互に、Ｙ１端側筒部７１、Ｙ１方向寄り筒部７４、中央筒部７２、Ｙ２方向寄り筒部７５、Ｙ２端側筒部７３の順で交互に並んでおり、貫通するパイプ７６によって整列されており、パイプ７６を中心に第２の半体部１２が第１の半体部１１に対して開いたり閉じたりする構造である。
（４−１）第２の半体部１２を約１４５度の位置まで開かせる機構
図１３（Ａ）及び（Ｂ）を併せて参照して示すように、ねじりコイルばね７７が、筒部７５内に収まった状態で筒部７５とスリーブ７８との間に組み込まれている。また、スリーブ７８は筒部７３と嵌合しており筒部７３と略一体である。このねじりコイルばね７７のねじりばね力によって第２の半体部１２が第１の半体部１１に対して開かれる。
（４−２）第２の半体部１２を１４５度から１８０度の間のどの角度位置でも仮固定させる機能
カム部材７９は、半分をＹ１端側筒部７１に嵌合固定されており、残りの半分がＹ１方向寄り筒部７４内に嵌合している。この残りの半分に、カム部７９ａを有する。Ｙ１方向寄り筒部７４内にも、カム部７４ａが形成してある。第２の半体部１２が第１の半体部１１に対して開いたり閉じたりするときには、カム部７４ａが移動する。
【００２９】
図１４（Ａ）は、閉じた状態を示す。図１４（Ｂ）に示すように、カム部７４ａが移動してカム部７９ａに当たった状態が、第２の半体部１２が約１４５度回動した状態である。手でもって第２の半体部１２を更に開くと、図１４（Ｃ）に示すように、カム部７４ａがカム部７９ａに強制的に乗り上がり、カム部７４ａとカム部７９ａとの間の摩擦力によって、第２の半体部１２の第１の半体部１１に対する開き位置が、手を放した位置に保持される。よって、第２の半体部１２は１４５度から１８０度の間のどの角度位置でも仮固定される。
（４−３）フレキシブルケーブルに関連する構造
第１の半体部１１と第２の半体部１２とを電気的に接続するフレキシブルケーブル８０は、図１５（Ａ）及び（Ｂ）に示すように、パイプ７６の周りにゆるゆるに巻かれるループを描くようにして、第２の半体部１２の開閉動作のときに無用な応力が作用しない状態で、中央筒部７２及びＹ１方向寄り筒部７４内を通っている。中央筒部７２は、フレキシブルケーブル８０を通してから取付けられてふたをされるキャップ８１を有する。
【００３０】
図１５（Ｃ）に示すように、パイプ７６の手前側を通過するようにしてすることも可能である。
（４−４）ホイップアンテナ１４の取付け構造
図４及び図１２に示すように、止め金具８５がホイップアンテナ支持部材６０にねじ込んで固定してあり、ホイップアンテナ１４は、止めキャップ部１４ｃが止め金具８５にねじ込まれて固定されて、アンテナシャフト部１４ｂがパイプ７６内に挿入された状態で取付けられている。
（４−５）ヒンジ部１３のＹ２方向端の構造
図１２（Ａ）に示すように、Ｙ２端側筒部７３には、必要に応じて電源用プラグが差し込まれるジャック９０が設けてある。ヒンジ部の下端側にジャック９０を設けることによって、ジャックを別の箇所に設けた場合に比べて、携帯電話機１０は小型となっている。
【００３１】
また、図１２（Ｂ）に示すように、Ｙ２端側筒部７３内に、ジャック９０に代えて、電子手帳用ファンクションキーを操作するための操作ペンを収容するための操作ペン収容部９１を設けた構成としてもよい。操作ペン収容部９１には、操作ペン９３が挿入されて収容されている。操作ペン収容部９１が存在することによって、操作ペンを別途持ち運ぶ面倒が無くなる。また、操作ペン収容部９１がヒンジ部の下端側に存在することによって、操作ペン収容部を別の箇所に設場合に比べて、携帯電話機は小型となる。
【実施例２】
【００３２】
図１６、図１７（Ａ），（Ｂ），（Ｃ）に示すように、携帯電話機１０Ａは、必要に応じて開かれる手帳型であり、第１の半体部１１Ａと、第２の半体部１２Ａと、第１の半体部１１Ａと第２の半体部１２Ａとをつないでいるヒンジ部１３Ａと、ホイップアンテナ１４とを有する。この携帯電話機１０Ａは、図１に示す携帯電話機１０と実質上同じ構造であり、以下の点が相違するものである。
【００３３】
携帯電話機１０Ａは、携帯電話機１０のスピーカ部３０に代えて、スピーカ部としての引出し可能なイヤーピース１００を有する。イヤーピース１００を収めるために、第１の半体部１１Ａには、Ｙ１方向端のコーナ部に凹部１１Ａａが形成してあり、且つ、第２の半体部１２Ａのうち閉じた状態で凹部１１Ａａに対応する部位に切り欠き部１２Ａａが形成してある。イヤーピース１００は、図１８（Ａ）乃至（Ｃ）に示すように収まっている。
【００３４】
イヤーピース１００に関連して、第１の半体部１１Ａ内には、コード１０１を巻き取るリール１０３、及び、ばね等によってリール１０３をコード１０１を巻き取る方向に回転させるコード巻き取り機構１０４が組み込まれている。また、上記の凹部１Ａａは、イヤーピース１００が姿勢を変えて横に向いた姿勢でも収まる形状となっている。
【００３５】
携帯電話機１０Ａは、携帯電話機１０のマイクユニット２２に代えて、マイク１０５が第１の半体部１１Ａの側面１１ＡｃのうちＹ２方向端の近くの位置に露出して設けてある。携帯電話機１０Ａの使用の仕方は、基本的には、上記の携帯電話機１０の場合と同じである。図１５（Ａ），（Ｂ），（Ｃ）に示すように、イヤーピース１００を引き出して、又は、図１８（Ｂ），（Ｃ）に二点鎖線でに示すように横に向けて使用される。
【００３６】
イヤーピース１００を引き出して使用する場合には、引き出した長さ分、アンテナが電話をかけている人の頭から離れるようになる。イヤーピース１００を上記のマイク１０５に合わせて第１の半体部１１Ａの側面１１Ａｃの側面を向く姿勢とした場合には、携帯電話機１０Ａの幅の分、アンテナが電話をかけている人の頭から離れるようになる。イヤーピース１００を第１の半体部１１Ａの側面１１Ａｃの側面を向く姿勢とすることが可能であるのは、マイク１０５が第１の半体部１１Ａの側面１１Ａｃに設けてあるからである。
〔変形例〕
（１）ヒンジ部１３Ｂの構造（第２の半体部１２を１４５度から１８０度の間のどの角度位置でも仮固定させる機能）
図１９に示すように、ヒンジ部１３Ａは、カム部材１１０と圧縮コイルばね１１１とを有する。カム部材１１０は、円筒形状を有し、パイプ に緩く嵌合して、第２の半体部１２と一体であるＹ１方向寄り筒部７４Ｂの凹部７４Ｂａ内に嵌合してある。カム部材１１０と筒部７４Ｂとは、カム部材１１０は筒部７４Ｂに対してＹ１，Ｙ２方向には移動可能であり、筒部７４Ｂが回動するとカム部材１１０も一体に回動する関係にある。圧縮コイルばね１１１は、筒部７４Ｂの凹部７４Ｂａ内であって、凹部７４Ｂａの底とカム部材１１０との間に設けてあり、カム部材１１０をＹ１方向に軽く付勢している。カム部材１１０のＹ１方向端面は、第１の半体部１１と一体であるＹ１方向端筒部７４ＢのＹ２方向端面７４Ｂａと当接している。カム部材１１０のＹ１方向端面には、凸部１１０ａを有する。凸部１１０ａの一端は傾斜面１１０ｂ１となっている。筒部７４ＢのＹ２方向端面には、凸部１１０ａを受け入れる凹部７４Ｂｂを有する。この凹部７４Ｂｂの端は傾斜面７４Ｂｃとなっている。
【００３７】
第２の半体部１２が１４５度回動する間は、凸部１１０ａは凹部７４Ｂｂ内を移動する。第２の半体部１２が手でもって１４５度を越えて回動されると、傾斜面１１０ｂ１と傾斜面７４Ｂｃとの案内によって、凸部１１０ａが凹部７４Ｂｂより抜け出して端面７４Ｂａと当接する状態となる。凸部１１０ａが凹部７４Ｂｂより抜け出すときに、カム部材１１０はＹ２方向に移動され、圧縮コイルばね１１１が圧縮され、凸部１１０ａが端面７４Ｂａに押し当たる状態となり、押し当たっている部分の摩擦力で、第２の半体部１２が仮固定される。
（２）ホイップアンテナ１４を傾斜させる機構図２０（Ａ）、（Ｂ）に示す機構は、ホイップアンテナ１４を引き出した状態でも、ホイップアンテナ１４を傾斜できる構造である。ホイップアンテナ支持部材６０の直ぐ下側にある筒部７４Ｃは、貫通孔７４Ｃａを有する。貫通孔７４ＣａのＹ２方向端側にガイド筒１２０が嵌合してある。このガイド筒１２０のＹ１方向端には、逆円錐形状の凹部１２０ａが形成してある。パイプ７６の上端は、ガイド筒１２０内にあって、逆円錐形状の凹部１２０ａ内には突き出ていない。筒部７４Ｃ内には、いっぱいに引き上げられた状態にあるホイップアンテナ１４の下端側部分１４ｄを収容可能であって、下端が逆円錐形状である空間１２１が形成してある。逆円錐形状の凹部１２０ａの内面１２０ｂは、ホイップアンテナ１４を収容するときに下端側部分１４ｄをパイプ７６内に導くようにガイドする役割を有する。
【００３８】
ホイップアンテナ１４を引き出した状態でホイップアンテナ１４をＺ２方向に倒す力を加えると、ホイップアンテナ支持部材６０が回動し、下端側部分１４ｄが空間１２１内で回動して、引き出されたホイップアンテナ１４が傾斜される。ホイップアンテナ１４は、Ｚ１方向に戻す力を加え、Ｙ２方向に押し込むことによって、収容される。ホイップアンテナ１４を傾斜したままの状態で、Ｙ２方向に押し込んでも、下端側部分１４ｄが面１２０ｂに案内されてパイプ７６内に入り込んで、ホイップアンテナ１４は正常に収容される。
【００３９】
なお、ホイップアンテナ１４が引き出されていない状態であっても、ホイップアンテナ１４の頭部１４ａが図１０の場合と同じく傾斜される。
【図面の簡単な説明】
【００４０】
【図１】本発明の第１実施例になる携帯電話機を示す図である。
【図２】図１の携帯電話機がとる種々の形態を示す図である。
【図３】図１の携帯電話機がとる種々の形態を別の方向からみて示す図である。
【図４】図１の携帯電話機の分解斜視図である。
【図５】図１の携帯電話機を示す図である。
【図６】アンテナを引出し、スピーカユニットを出した状態を示す図である。
【図７】携帯電話機を開いた状態を示す図である。
【図８】リリースボタン及びこれと関係する部分を示す図である。
【図９】マイクユニット及びこれと関係する部分を示す図である。
【図１０】ホイップアンテナを傾斜させる機構を示す図である。
【図１１】アンテナ支持部材を示す図である。
【図１２】ヒンジ部を示す図である。
【図１３】ねじりコイルばねの組み込み状態を示す図である。
【図１４】第２の半体部を１４５〜１８０度の範囲の任意の位置に仮固定する機構を示す図である。
【図１５】フレキシブルケーブルが通る部分を示す図である。
【図１６】本発明の第２実施例になる携帯電話機を示す図である。
【図１７】図１６の携帯電話機がとる種々の形態を示す図である。
【図１８】イヤーピース周りの機構を示す図である。
【図１９】ヒンジ部の変形例を示す図である。
【図２０】アンテナ傾斜機構の変形例を示す図である。
【符号の説明】
【００４１】
１０、１０Ａ  携帯電話機
１１，１１Ａ  第１の半体部
１２，１２Ａ  第２の半体部
１３，１３Ｂ  ヒンジ部
１４  ホイップアンテナ
２０  電話機用ファンクションキー
２１  液晶パネル部
２２  可動式のマイクユニット
２４、２５  リリースボタン
３１  透明アクリル窓
３３、３４  電子手帳用ファンクションタッチパネル
６０  ホイップアンテナ支持部材
１００  イヤーピース
１０１  コード
１１Ａａ  凹部
１２Ａａ  切り欠き部
１０４  コード巻き取り機構
【図１】
2007089221.tif 000003
【図２】
2007089221.tif 000004
【図３】
2007089221.tif 000005
【図４】
2007089221.tif 000006
【図５】
2007089221.tif 000007
【図６】
2007089221.tif 000008
【図７】
2007089221.tif 000009
【図８】
2007089221.tif 000010
【図９】
2007089221.tif 000011
【図１０】
2007089221.tif 000012
【図１１】
2007089221.tif 000013
【図１２】
2007089221.tif 000014
【図１３】
2007089221.tif 000015
【図１４】
2007089221.tif 000016
【図１５】
2007089221.tif 000017
【図１６】
2007089221.tif 000018
【図１７】
2007089221.tif 000019
【図１８】
2007089221.tif 000020
【図１９】
2007089221.tif 000021
【図２０】
2007089221.tif 000022